【手続補正書】
【提出日】平成19年2月7日(2007.2.7)
【手続補正１】
【補正対象書類名】特許請求の範囲
【補正対象項目名】全文
【補正方法】変更
【補正の内容】
【特許請求の範囲】
【請求項１】
第１の電極と、
メッシュ電極と、
第１の電極とメッシュ電極との間に位置し、かつ電子受容性材料および電子供与性材料を含有する活性層とを備える光電セル。
【請求項２】
メッシュ電極はカソードである請求項１に記載の光電セル。
【請求項３】
メッシュ電極はアノードである請求項１に記載の光電セル。
【請求項４】
メッシュは導電性材料を含有する請求項１に記載の光電セル。
【請求項５】
導電性材料は金属、合金、ポリマー、およびそれらの組合せから選択される請求項４に記載の光電セル。
【請求項６】
メッシュ電極は線材を含む請求項１に記載の光電セル。
【請求項７】
線材は導電性材料を含む請求項６に記載の光電セル。
【請求項８】
導電性材料は金属、合金、ポリマー、およびそれらの組合せから選択される請求項７に記載の光電セル。
【請求項９】
線材は導電性材料を含有するコーティングを含む請求項６に記載の光電セル。
【請求項１０】
導電性材料は金属、合金、ポリマー、およびそれらの組合せから選択される請求項９に記載の光電セル。
【請求項１１】
メッシュ電極はエキスパンド・メッシュを含む請求項１に記載の光電セル。
【請求項１２】
メッシュ電極はメッシュ織物を含む請求項１に記載の光電セル。
【請求項１３】
電子受容性材料はフラーレン、無機ナノ粒子、オキサジアゾール、ディスコティック液晶、カーボン・ナノロッド、無機ナノロッド、ＣＮ基含有ポリマー、ＣＦ３基含有ポリマー、およびそれらの組合せから選択される材料を含む請求項１に記載の光電セル。
【請求項１４】
電子受容性材料は置換フラーレンを含む請求項１に記載の光電セル。
【請求項１５】
電子供与性材料はディスコティック液晶、ポリチオフェン、ポリフェニレン、ポリフェニルビニレン、ポリシラン、ポリチエニルビニレン、およびポリイソチアナフタレンから選択される材料を含む請求項１に記載の光電セル。
【請求項１６】
電子供与性材料はポリ（３−ヘキシルチオフェン）を含む請求項１に記載の光電セル。
【請求項１７】
活性層と第１の電極との間のホール・ブロック層をさらに備える請求項１に記載の光電セル。
【請求項１８】
ホール・ブロック層はＬｉＦ、金属酸化物、およびそれらの組合せから選択される材料を含む請求項１７に記載の光電セル。
【請求項１９】
活性層とメッシュ電極との間のホール・ブロック層をさらに備える請求項１に記載の光電セル。
【請求項２０】
ホール・ブロック層はＬｉＦ、金属酸化物、およびそれらの組合せから選択される材料を含む請求項１９に記載の光電セル。
【請求項２１】
活性層とメッシュ電極との間のホール・キャリア層をさらに備える請求項１に記載の光電セル。
【請求項２２】
ホール・キャリア層はポリチオフェン、ポリアニリン、ポリビニルカルバゾール、ポリフェニレン、ポリフェニルビニレン、ポリシラン、ポリチエニレンビニレン、ポリイソチアナフタネン、およびそれらの組合せから選択される材料を含む請求項２１に記載の光電セル。
【請求項２３】
活性層と第１の電極との間のホール・キャリア層をさらに備える請求項１に記載の光電セル。
【請求項２４】
ホール・キャリア層はポリチオフェン、ポリアニリン、ポリビニルカルバゾール、ポリフェニレン、ポリフェニルビニレン、ポリシラン、ポリチエニレンビニレン、ポリイソチアナフタネン、およびそれらの組合せから選択される材料を含む請求項２３に記載の光電セル。
【請求項２５】
第１の電極はメッシュ電極から成る請求項１に記載の光電セル。
【請求項２６】
第１の電極と、
メッシュ電極と、
第１の電極とメッシュ電極との間に位置し、かつ電子受容性材料および電子供与性材料を含有する活性層と、
第１の電極と活性層との間のホール・ブロック層と、
メッシュ電極と活性層との間のホール・キャリア層とを備える光電セル。
【請求項２７】
メッシュは導電性材料を含有する請求項２６に記載の光電セル。
【請求項２８】
導電性材料は金属、合金、ポリマー、およびそれらの組合せから選択される請求項２７に記載の光電セル。
【請求項２９】
ホール・キャリア層はポリチオフェン、ポリアニリン、ポリビニルカルバゾール、ポリフェニレン、ポリフェニルビニレン、ポリシラン、ポリチエニレンビニレン、ポリイソチアナフタネン、およびそれらの組合せから選択される材料を含む請求項２６に記載の光電セル。
【請求項３０】
ホール・ブロック層はＬｉＦ、金属酸化物、およびそれらの組合せから選択される材料を含む請求項２９に記載の光電セル。
【請求項３１】
ホール・ブロック層はＬｉＦ、金属酸化物、およびそれらの組合せから選択される材料を含む請求項２６に記載の光電セル。
【請求項３２】
メッシュ電極は線材を含む請求項２６に記載の光電セル。
【請求項３３】
線材は導電性材料を含む請求項３２に記載の光電セル。
【請求項３４】
導電性材料は金属、合金、ポリマー、およびそれらの組合せから選択される請求項３３に記載の光電セル。
【請求項３５】
線材は導電性材料を含有するコーティングを含む請求項３２に記載の光電セル。
【請求項３６】
導電性材料は金属、合金、ポリマー、およびそれらの組合せから選択される請求項３５に記載の光電セル。
【請求項３７】
メッシュ電極はエキスパンド・メッシュを含む請求項２６に記載の光電セル。
【請求項３８】
メッシュ電極はメッシュ織物を含む請求項２６に記載の光電セル。
【請求項３９】
第１の電極はメッシュ電極から成る請求項２６に記載の光電セル。
【請求項４０】
メッシュ電極を支持する基板をさらに備える請求項２６に記載の光電セル。
【請求項４１】
基板とホール・キャリア層との間の接着材料をさらに備える請求項４０に記載の光電セル。
【請求項４２】
ホール・キャリア層は基板と接触している請求項４０に記載の光電セル。
【請求項４３】
請求項１に記載の光電セルを複数備える光電システムであって、複数の光電セルのうちの少なくとも一部は電気的に接続されている光電システム。
【請求項４４】
複数の光電セルの全てが電気的に接続されている請求項４３に記載の光電システム。
【請求項４５】
電気的に接続されている光電セルのうちの少なくとも一部は電気的に並列に接続されている請求項４３に記載の光電システム。
【請求項４６】
電気的に接続されている光電セルのうちの少なくとも一部は電気的に直列に接続されている請求項４３に記載の光電システム。
【請求項４７】
電気的に接続されている光電セルのうちの少なくとも一部は負荷に電気的に並列に接続されている請求項４３に記載の光電システム。
【請求項４８】
請求項２６に記載の光電セルを複数備える光電システムであって、複数の光電セルのうちの少なくとも一部は電気的に接続されている光電システム。
【請求項４９】
複数の光電セルの全てが電気的に接続されている請求項４８に記載の光電システム。
【請求項５０】
電気的に接続されている光電セルのうちの少なくとも一部は電気的に並列に接続されている請求項４８に記載の光電システム。
【請求項５１】
電気的に接続されている光電セルのうちの少なくとも一部は電気的に直列に接続されている請求項４８に記載の光電システム。
【請求項５２】
電気的に接続されている光電セルのうちの少なくとも一部は負荷に電気的に並列に接続されている請求項４８に記載の光電システム。